(57)【要約】【課題】園芸用結束機を手軽に安定した状態で携帯でき、植物の茎や枝の結束作業を円滑に行うことができる園芸用結束機の脱着携帯器を提供する。【解決手段】一方に長く設けられ結束針収容部２６を有するテープ繰出器１６と、テープ繰出器１６の中間位置に枢支されテープ繰出器１６から鋭角に二又状に下方に分岐されてテープ繰出器１６との間に鋭角状の空間部３０を形成するアーム１８と、が協働してテープ繰出器１６からテープを繰り出しながら植物の茎や枝を支柱に結束しそのテープ両端を結束針で留める園芸用結束機１２であり、二又状の分岐された枢支部２８近傍に重心があるように設けられた園芸用結束機１２と、人が着用する衣類やベルトに支持され、テープ繰出器１６とアーム１８との間の鋭角状の空間部３０に脱着自在に係合して園芸用結束機１２を支持する係合部４０を備えた脱着携帯器１４と、を備える。【選択図】図１
2015042137.tif 000002
【特許請求の範囲】
【請求項１】
一方に長く設けられ結束針収容部を有するテープ繰出器と、テープ繰出器の中間位置に枢支されテープ繰出器から鋭角に二又状に下方に分岐されてテープ繰出器との間に鋭角状の空間部を形成するアームと、が協働してテープ繰出器からテープを繰り出しながら植物の茎や枝を支柱に結束しそのテープ両端を結束針で留める園芸用結束機であり、二又状の分岐された枢支部近傍に重心があるように設けられた園芸用結束機と、
人が着用する衣類やベルトに支持され、テープ繰出器とアームとの間の鋭角状の空間部に脱着自在に係合して園芸用結束機を支持する係合部を備えた脱着携帯器と、を備えたことを特徴とする園芸用結束機の脱着携帯装置。
【請求項２】
脱着携帯器の係合部は、テープ繰出器とアームとの間の鋭角状の空間部に上下方向に挿し入れ、抜き出し自在に嵌着状に係合する挿入係合部からなることを特徴とする請求項１記載の園芸用結束機の脱着携帯装置。
【請求項３】
係合部は、園芸用結束機の係合部との係合部分よりも上部側が該係合部分周りに揺動するのを防止するように設けられたことを特徴とする請求項１又は２記載の園芸用結束機の脱着携帯装置。
【請求項４】
係合部は、正面視で下方の幅が広く上方の幅が狭くなる山形形状に設けられたことを特徴とする請求項２又は３記載の園芸用結束機の脱着携帯装置。
【請求項５】
係合部は、少なくとも三点の支持点を有することを特徴とする請求項４記載の園芸用結束機の脱着携帯装置。
【請求項６】
園芸用結束機は、テープ繰出部とアームを枢支部周りに開閉操作する操作レバーがアームに対して回転軸周りに回動自在に連結されており、
係合部は、正面視山形形状の輪郭が頂部を左右中央位置より一方に寄せて設けられるとともに他方に段差部が設けられたことを特徴とする請求項４又は５記載の園芸用結束機の脱着携帯装置。
【請求項７】
係合部は、針金を所定の山形形状に曲げて形成されたことを特徴とする請求項４ないし６のいずれかに記載の園芸用結束機の脱着携帯装置。
【請求項８】
請求項１ないし７のいずれかに記載の園芸用結束機の脱着携帯装置の脱着携帯器であり、人が着用する衣類やベルトに支持され、テープ繰出器とアームとの間の鋭角状の空間部に脱着自在に係合して園芸用結束機を支持する係合部を有することを特徴とする園芸用結束機の脱着携帯器。
【発明の詳細な説明】
【技術分野】
【０００１】
本発明は、結束テープによって植物の茎や枝を支柱に結束する園芸用結束機を作業者が携帯するのに便利な園芸用結束機の脱着携帯装置及び脱着携帯器に関する。
【背景技術】
【０００２】
キュウリ、トマト、ナス等の蔓植物を栽培する際には、成長に伴って伸びていく蔓を誘引し支柱にテープで結束する作業が行われる。この作業には、片手で簡易にテープの両端を締結して結束を行える園芸用結束機が利用される場合がある。例えば、特許文献１に開示されているように、園芸用結束器は、結束針を収容した結束針収納部と、先端を結束針収納部先端に当接する作動アームとを、結束テープ収納部を有した筒状の主桿部に軸共通にして軸着し、作動アームに操作レバーの中間部を軸着し、操作レバー先端を主桿部側部に設けた係合突起に摺接係合させて構成されている。テープで結束する際には、操作レバーの握り部と主桿部を握ることによって作動アームの先端部を結束針収納部先端部に当接させ、作動アーム先端部で結束テープ先端部を挟持する。そして、一端、握り部と主桿部にかけた手を緩めて作動アームを戻して結束テープを引き延ばし、結束テープに植物の蔓や支柱等を押し付け、これらを作動アームと主桿部の形成する三角形状の空間に結束テープで巻回させた状態で配置させてから、再度作動アーム先端部を結束針収納部先端部に押圧して結束テープを結束針で締結し、植物の蔓等を支柱に固定するものであった。
【先行技術文献】
【特許文献】
【０００３】
【特許文献１】実公平４−４６５４３号
【発明の概要】
【発明が解決しようとする課題】
【０００４】
作業者が植物の蔓を誘引して支柱に寄せる際には、両手の方が作業しやすく園芸用結束機を手で持ったままでは作業しにくいので、一時的に結束機を置いておきたい場合が多い。しかしながら、園芸用結束機を地面に置くと、置いたり手に取ったりする際に座ったり立ったりする動作を繰り返す必要があるので、手間がかかり作業をスムーズに行えないうえ、労力がかかっていた。また、園芸用結束機を支柱や横に張られた針金等に引っ掛けておくことも考えられるが、この場合には結束機を支柱等に引っ掛けた状態では不安定で、簡単に結束機が落下してしまい、拾い上げるのに手間取るだけでなく、結束機が破損したり、結束機に収容しているテープや結束針が外れて飛び出してしまったりするおそれもあり、作業をスムーズに行えない問題があった。
【０００５】
本発明は上記従来の課題に鑑みてなされたものであり、その一つの目的は、園芸用結束機を手軽に安定した状態で携帯して両手を使って作業できるとともに該結束機を使用する際には該結束機を容易に手に取って使用することができ、植物の茎や枝の結束作業を円滑に行うことができる園芸用結束機の脱着携帯器を提供することにある。
【課題を解決するための手段】
【０００６】
上記課題を解決するために本発明は、一方に長く設けられ結束針収容部２６を有するテープ繰出器１６と、テープ繰出器１６の中間位置に枢支されテープ繰出器１６から鋭角に二又状に下方に分岐されてテープ繰出器１６との間に鋭角状の空間部３０を形成するアーム１８と、が協働してテープ繰出器１６からテープを繰り出しながら植物の茎や枝を支柱に結束しそのテープ両端を結束針で留める園芸用結束機１２であり、二又状の分岐された枢支部２８近傍に重心があるように設けられた園芸用結束機１２と、人が着用する衣類やベルトに支持され、テープ繰出器１６とアーム１８との間の鋭角状の空間部３０に脱着自在に係合して園芸用結束機１２を支持する係合部４０を備えた脱着携帯器１４と、を備えた園芸用結束機の脱着携帯装置１０から構成される。
【０００７】
また、脱着携帯器１４の係合部４０は、テープ繰出器１６とアーム１８との間の鋭角状の空間部３０に上下方向に挿し入れ、抜き出し自在に嵌着状に係合する挿入係合部からなることとしてもよい。
【０００８】
また、係合部４０は、園芸用結束機１２の係合部４０との係合部分よりも上部側Ｕが該係合部分周りに揺動するのを防止するように設けられたこととしてもよい。
【０００９】
また、係合部４０は、正面視で下方の幅が広く上方の幅が狭くなる山形形状に設けられたこととしてもよい。
【００１０】
また、係合部４０は、少なくとも三点の支持点を有することとしてもよい。
【００１１】
また、園芸用結束機１２は、テープ繰出部１６とアーム１８を枢支部２８周りに開閉操作する操作レバー２０がアーム１８に対して回転軸３６周りに回動自在に連結されており、係合部４０は、正面視山形形状の輪郭が頂部を左右中央位置より一方に寄せて設けられるとともに他方に段差部５２が設けられたこととしてもよい。
【００１２】
また、係合部４０は、針金を所定の山形形状に曲げて形成されたこととしてもよい。
【００１３】
さらに、本発明は、請求項１ないし７のいずれかに記載の園芸用結束機の脱着携帯装置の脱着携帯器であり、人が着用する衣類やベルトＢＴに支持され、テープ繰出器１６とアーム１８との間の鋭角状の空間部３０に脱着自在に係合して園芸用結束機１２を支持する係合部４０を有する園芸用結束機の脱着携帯器１４から構成される。
【発明の効果】
【００１４】
本発明の園芸用結束機の脱着携帯器によれば、一方に長く設けられ結束針収容部を有するテープ繰出器と、テープ繰出器の中間位置に枢支されテープ繰出器から鋭角に二又状に下方に分岐されてテープ繰出器との間に鋭角状の空間部を形成するアームと、が協働してテープ繰出器からテープを繰り出しながら植物の茎や枝を支柱に結束しそのテープ両端を結束針で留める園芸用結束機であり、二又状の分岐された枢支部近傍に重心があるように設けられた園芸用結束機と、人が着用する衣類やベルトに支持され、テープ繰出器とアームとの間の鋭角状の空間部に脱着自在に係合して園芸用結束機を支持する係合部を備えた脱着携帯器と、を備えたことから、園芸用結束機を脱着携帯器に安定した状態で支持させて簡単に携帯でき、両手を自由に使って作業することができる。さらに、園芸用結束機を使う際には、脱着携帯器から簡単に取り外して使用することができる。その結果、植物の茎や枝の結束作業を円滑に行うことができ、作業性を向上できる。
【００１５】
また、脱着携帯器の係合部は、テープ繰出器とアームとの間の鋭角状の空間部に上下方向に挿し入れ、抜き出し自在に嵌着状に係合する挿入係合部からなる構成とすることにより、簡便かつスピーディに、園芸用結束部を使用状態から脱着携帯器に係合させて支持させることができるとともに園芸用結束部を取り外して使用することができ、使い勝手が良い。
【００１６】
また、係合部は、園芸用結束機の係合部との係合部分よりも上部側が該係合部分周りに揺動するのを防止するように設けられた構成とすることにより、園芸用結束機を脱着携帯器に安定して支持することができ、携帯時にぐらついたり不意に落下するのを良好に防止できる。
【００１７】
また、係合部は、正面視で下方の幅が広く上方の幅が狭くなる山形形状に設けられた構成とすることにより、簡単な構造で二又状に分岐されたテープ繰出器とアームとの間の空間部に合わせて係合部を具体的に構成でき、園芸用結束器を安定して支持できる。
【００１８】
また、係合部は、少なくとも三点の支持点を有する構成とすることにより、脱着携帯器に園芸用結束機を安定して支持することができ、携帯時にぐらついたり不意に落下するのを良好に防止できる。
【００１９】
また、園芸用結束機は、テープ繰出部とアームを枢支部周りに開閉操作する操作レバーがアームに対して回転軸周りに回動自在に連結されており、係合部は、正面視山形形状の輪郭が頂部を左右中央位置より一方に寄せて設けられるとともに他方に段差部が設けられた構成とすることにより、操作レバーの回転軸を避けて係合部を園芸用結束機のテープ繰出器とアームとの間の鋭角状の空間部に挿入して確実に係合させることができ、園芸用結束機を安定して支持できる。
【００２０】
また、係合部は、針金を所定の山形形状に曲げて形成された構成とすることにより、脱着携帯器を軽量に製造できるとともに、簡単に製作でき、低コスト化できる。
【００２１】
さらに、本発明の脱着携帯装置の脱着携帯器によれば、請求項１ないし７のいずれかに記載の園芸用結束機の脱着携帯装置の脱着携帯器であり、人が着用する衣類やベルトに支持され、テープ繰出器とアームとの間の鋭角状の空間部に脱着自在に係合して園芸用結束機を支持する係合部を有することから、園芸用結束機を脱着携帯器に安定した状態で支持させ、簡便に携帯でき、両手を自由に使って作業することができる。さらに、園芸用結束機を使う際には、脱着携帯器から簡単に取り外して使用することができる。その結果、植物の茎や枝の結束作業を円滑に行うことができ、作業性を向上できる。
【図面の簡単な説明】
【００２２】
【図１】本発明の一実施形態に係る園芸用結束機の脱着携帯装置の一部を切いて示した正面図である。
【図２】図１の園芸用結束機の脱着携帯装置のＡ−Ａ線断面図である。
【図３】図１の園芸用結束機の脱着携帯装置の側面図である。
【図４】図１の園芸用結束機の脱着携帯装置を分離した状態の説明図及び作用説明図である。
【図５】図１の園芸用結束機の脱着携帯装置の園芸用結束機の正面図である。
【図６】図１の園芸用結束機の脱着携帯装置の脱着携帯器の斜視図である。
【図７】図６の脱着携帯器の正面図である。
【図８】図６の脱着携帯器の側面図である。
【図９】脱着携帯器の他の実施形態の斜視図である。
【発明を実施するための形態】
【００２３】
以下添付図面を参照しつつ本発明の園芸用結束機の脱着携帯器の実施形態について説明する。本発明に係る園芸用結束機の脱着携帯器は、例えば、蔓植物の蔓、その他の植物の茎や枝を支柱に結束して固定する作業に用いられる園芸用又は農作業用の道具である。図１ないし図８は、本発明の園芸用結束機の脱着携帯器の一実施形態を示している。図１、図３、図４に示すように、本実施形態において、園芸用結束機の脱着携帯装置１０は、園芸用結束機１２と、脱着携帯器１４と、を備えている。
【００２４】
園芸用結束機１２は、テープで植物の茎等と支柱とを結束する手動利器であり、テープを繰り出し自在に収納するテープ繰出機構と、ステープラのように結束針でテープ両端を締結する針留め機構と、を一体的に有している。園芸用結束機１２は、例えば、従来周知の園芸用結束機と同じ構成であり、本実施形態では要部部分を説明し、一部分についての詳細な説明は省略する。図１、図４、図５に示すように、園芸用結束機１２は、テープ繰出器１６と、該テープ繰出器１６に枢支部２８を介して枢支されたアーム１８と、を有しており、それらが協働してテープを繰出しながら植物の茎や枝を支柱に結束しそのテープの両端を結束針で留める。園芸用結束機１２は、テープ繰出器１６とアーム１８とを枢支部２８周りに開閉操作する操作レバー２０を有している。
【００２５】
テープ繰出器１６は、一方に長い筒状に設けられており、一端の基部側に略円形状のテープ収納部２２が設けられるとともに長手方向に沿って内部空間でテープをガイドし、他端の先端部２４から外部に繰出される。テープ繰出器１６は、その長手方向に沿って結束針を収容する結束針収容部２６を支持している。結束針収容部２６には内部に結束針を先端側に付勢するバネ機構が組み付けられており、該結束針収納部の先端側から順次結束針が出される。テープ繰出器１６の先端部２４側にはテープ切断用の刃が設けられている。
【００２６】
アーム１８は、一端をテープ繰出器１６の中間位置で結束針収容部２６の端部に枢支部２８によって回動自在に枢支されており、テープ繰出器１６から鋭角に二又状に下方に分岐されている。テープ繰出器１６とアーム１８は枢支部２８で開閉自在に連結され、略逆Ｖ字状に下方に広がってそれらの間に略三角形状の空間を形成している。テープ繰出器１６とアーム１８との間には鋭角状の空間部３０が形成される。この二又状に分岐したテープ繰出器１６とアーム１８との間の空間部３０に後述の係合部４０が係合されるようになっており、該空間部３０周辺が係合部４０との係合部分となる。アーム１８は、略Ｌ字状に曲げて形成され、先端部３２をテープ繰出器１６の先端部２４に向けている。図２にも示すように、アーム１８は、テープ繰出器１６側を開放した断面略コ字状に設けられ、操作レバー２０を回動自在に枢支する回転軸３６が略コ字状内部空間を貫通している。図１、図５に示すように、アーム１８の先端部３２には、テープ繰出部１６の先端部２４から出されるテープを挟持する把持部と、結束針収容部２６の先端に当接させて結束針を留めるための押圧部と、が設けられている。アーム１８は、バネ３３によりアーム１６を開く方向に付勢されている。
【００２７】
図１、図５に示すように、操作レバー２０は、手で握り開閉操作するための把持部３４を有しており、さらに先端側をテープ繰出器１６の側方に突設された係合突起に係合させ、中間位置をアーム１８に回転軸３６を介して回動自在に枢支されている。操作レバー２０は、例えば、略く字状に構成されており、屈曲部分をアーム１８の枢支部２８に近接した位置に枢支されている。このように構成された園芸用結束機１２は、二又状の分岐された枢支部２８近傍、すなわち、テープ繰出器１６とアーム１８との間の鋭角状の空間部３０近傍、に重心があるように設けられている。
【００２８】
園芸用結束機１２を使用する際には、操作レバー２０とテープ繰出器１６の基部側とを手ＨＤで握ってテープ繰出器１６の先端部２４にアーム１８の先端部３０とを当接させてアーム先端部３２でテープの先端を保持させた後、手を緩めてバネの付勢力によりアーム１８が戻ってテープを引き出すことにより、テープ繰出器１６とアーム１８の先端間に架設させる。テープを植物の蔓と支柱の周りに掛け回しながらテープ繰出器１６とアーム１８との間の略三角形状の空間に蔓と支柱を配置させる。その状態で、再びテープ繰出器１６の基部側と操作レバー２０の把持部３４とを握持してテープ繰出器１６とアーム１８の先端部どうしを閉じることにより、テープの先端部が重ねられるとともに、結束針収容部の先端部にアーム先端部が当接しテープの重なり部分が結束針により綴じられる。さらにテープ繰出器１６に設けられた刃によりテープを切断して、植物の蔓や枝を支柱に結束する。
【００２９】
脱着携帯器１４は、図１、図３、図４に示すように、園芸用結束機１２を作業者が携帯するために該結束機を脱着自在に保持させるホルダである。本実施形態では、脱着携帯器１４は、人が着用する衣類や腰ベルトＢＴに支持させるための支持部３８と、園芸用結束機１２と脱着自在に係合する係合部４０と、を備えている。係合部４０は、テープ繰出器１６とアーム１８との間の鋭角状の空間部３０すなわち園芸用結束機１２の重心近傍に係合して該結束機１２を安定的に支持する。係合部４０は、テープ繰出器１６とアーム１８の先端部を下方に向けテープ収容部を上方に向けた状態で、すなわち作業者が手で持つテープ繰出器１６の基部側及びレバー２０の把持部３４側を上方に向けて縦長に立てた状態で、該園芸用結束機１２を保持する。これにより、園芸用結束機１２を、例えば腰ベルト周辺へ簡単かつスピーディに支持させたり又は支持させた状態から取り外して利用したりすることができる。
【００３０】
具体的には、脱着携帯器１４は、図６、図７、図８にも示すように、上部側に支持部３８が設けられ、該支持部３８の下方に係合部４０が設けられている。支持部３８は、例えば、ベルトを通係する２つの縦長の通係孔４２が設けられた外形輪郭が略矩形状の金属製留め具からなる。支持部３８の外縁部は一部切欠きされて形成されている。なお、支持部３８は、衣類やベルト等に脱着自在に係着される構成であれば任意で良い。例えば、支持部３８は、図９に示すように逆Ｕ字形フック状に形成されていてもよい。
【００３１】
図６、図７、図８に示すように、係合部４０は、例えば、支持部３８に支持された縦長の基部４４の下端に側面視略Ｌ字状に突設され、園芸用結束機１２をフック状に引っ掛けて脱着自在に保持するように設けられている。基部４４と係合部４０は、例えば、径が数ｍｍ程度の太さの一本の針金を所定形状に曲げて一体的に形成されている。係合部４０は、基部４４の下端から横方向に突設した横部４６と、該横部４６の突設先端から上方に立設した縦部４８と、を含む。係合部４０は、横部４６でアーム１８及び操作レバー２０を下から受けるとともに、縦部４８をテープ繰出器１６とアーム１８との間の鋭角状の空間部３０に上下方向に挿し入れ、抜き出し自在に嵌着状に係合させて園芸用結束機１２を着脱自在に支持する挿入係合部からなる。
【００３２】
本実施形態では、係合部４０は、正面視では下方の幅が広く上方の幅が狭くなる山形形状に設けられている。係合部４０は、例えば、山形形状の下端側の幅が操作レバー２０の回転軸３６とアーム繰出器との間の距離よりも大きく設定されている。係合部４０の山形形状の輪郭は、頂部５０を左右中央位置より一方（図７上、左側）に寄せて設けられるとともに他方（図７上、右側）に段差部５２が設けられて左右非対称となっている。すなわち、係合部４０の山形形状の一方側は直線状の斜辺部で形成されるが、アール状の頂部５０を挟んだ他方側は一段の段差部５２が形成されている。段差部５２は、例えば、頂部５０から垂下された縦辺部と、鉛直部下端から緩やかに傾斜した第１斜辺と第１斜辺よりも急な傾斜で横部４６に接続される第２斜辺とで形成されている。この段差部５２は、係合部４０を鋭角状の空間部３０に嵌着状に挿入して係合させる際に、アーム１８を貫通している操作レバー２０の回転軸３６を避けて係合部４０を該空間部３０に装着できるようになっている。よって、係合部の段差部５２は回転軸３６を避けて係合部を空間部に挿入させるための凹部を形成している。さらに、挿入状態では段差部５２で回転軸３６を下から受けるようになっている。なお、段差部５２は空間部３０の形状や回転軸３６の位置等に応じて任意の形状で形成してもよい。係合部４０は、山形形状の一方側に形成される直線状の斜辺部でテープ繰出器１６の結束針収容部２４に当接し、もたれかけ状に受けている。係合部４０の頂部５０は、鋭角状の空間部３０の奥に入り込み、一部をテープ繰出部１６やバネ、アーム等に当接するようにしてもよい。係合部４０は、園芸用結束機１２を受ける支持点を少なくとも三点有している。例えば、係合部４０は、一つの横部４６がアーム１８の中間位置を受けて支持し、他の横部４６が操作レバー２０を受けて支持し、係合部４０の段差部５２が回転軸３６を受けて支持している。さらに、係合部４０の山形形状の斜辺部や頂部５０等もテープ繰出器１６を受けて支持している。このように係合部４０が鋭角状の空間部３０を形成しているテープ繰出器１６やアーム１８等を受けて係合することにより、園芸用結束機１２の係合部４０との係合部分よりも上部側Ｕが該係合部分周りに揺動するのを防止するように設けられており、係合部４０は該結束機の安定支持構造を有している。なお、係合部４０は、テープ繰出器１６とアーム１８との間の鋭角状の空間部３０に係合する構造であれば任意でよく、例えば、板片やブロック片で構成してもよい。また、係合部はある程度硬質の合成樹脂や金属、木製等任意の素材で形成してもよい。
【００３３】
なお、脱着携帯器１４は、上記実施形態に限らず任意の構成で形成しても良く、例えば、図９に示すように、１枚の板状部材を加工して、形成してもよい。図９の例でも、係合部４０は、正面視山形形状に設けられており、左右中央位置から一方に寄せて頂部５０が形成され、他方側に段差部５２が設けられている。脱着携帯機１４の支持部３６は、逆コ字状のフックで形成されており、衣類やベルトに上から引っ掛けるように係着される。
【００３４】
次に、本実施形態に係る園芸用結束機の脱着携帯装置１０及び脱着携帯器の作用について説明する。例えば、作業者は脱着携帯器１４を腰ベルト等に支持させておく。そして、図１、図３、図４に示すように、園芸用結束機１２を手ＨＤで握る側を上方としテープ繰出器１６とアーム１８の先端部を下向きとした状態で、該テープ繰出器１６とアーム１８との間の空間部３０を利用して脱着携帯器１４の山形形状の係合部４０を挿入し互いに係合させて該結束機１２を支持させる。この係合状態では、園芸用結束機１２の二又状に分岐されたテープ繰出器１６とアーム１８との枢支部２８近傍に設けられた重心の近傍を脱着携帯器１４で支持することとなる。さらに、上記のような係合部４０の山形形状等の構成ともあいまって、園芸用結束機１２の係合部４０との係合部分よりも上部側が該係合部分周りに揺動するのを防止でき、該結束機１２がぐらついたり不意に落下するのを良好に防止しながら安定して支持することができる。これにより、作業者は園芸用結束機１２を携帯しながら両手を使って自由に作業できる。植物の茎を支柱にテープで結束するために園芸用結束機１２を使用する際には、作業者の腰近傍に携帯している園芸用結束機１２を手に取って、上に引き抜き状に持ち上げるだけで簡単に脱着携帯器１４から離脱させて使用することができる。使用後には、再び該テープ繰出器１６とアーム１８との間の空間部３０に脱着携帯器１４の係合部４０を挿入させるように上下方向に位置合わせさせながら係合させて簡単に支持することができる。これにより、植物の茎や枝の結束作業を円滑に行うことができる。
【００３５】
以上説明した本発明の園芸用結束機の脱着携帯装置及び脱着携帯器は、上記した実施形態のみの構成に限定されるものではなく、特許請求の範囲に記載した本発明の本質を逸脱しない範囲において、任意の改変を行ってもよい。
【産業上の利用可能性】
【００３６】
本発明の園芸用結束機の脱着携帯装置及び脱着携帯器は、栽培植物の茎や枝を誘引してテープで支柱に結束する作業の際に好適に利用できる。
【符号の説明】
【００３７】
１０    園芸用結束機の脱着携帯装置
１２    園芸用結束機
１４    脱着携帯器
１６    テープ繰出器
１８    アーム
２０    レバー
２２    テープ収容部
２６    結束針収容部
２８    枢支部
３０    空間部
３６    回転軸
４０    係合部
５０    頂部
５２    段差部
【図１】
2015042137.tif 000003
【図２】
2015042137.tif 000004
【図３】
2015042137.tif 000005
【図４】
2015042137.tif 000006
【図５】
2015042137.tif 000007
【図６】
2015042137.tif 000008
【図７】
2015042137.tif 000009
【図８】
2015042137.tif 000010
【図９】
2015042137.tif 000011